(57)【要約】【課題】キャビネットラックへの入出線に手間がかからないようにし、配線作業性を向上させる。【解決手段】キャビネットラック１は、垂直フレーム２と水平フレーム３とで箱状のラック本体４を構成し、ラック本体４の前面に扉を開閉自在に設け、左右側面にパネルを着脱自在に設け、背面に扉又はパネルを設けて成り、水平フレーム３を外側面が扉又はパネルの内側面より内側となるように設け、水平フレーム３と扉５又はパネル６との間にケーブル９が入出線するための入出線部１０を形成する。【選択図】図４
2011249363.tif 000002
【特許請求の範囲】
【請求項１】
垂直フレームと水平フレームとで箱状のラック本体を構成し、該ラック本体の前面に扉を開閉自在に設け、左右側面にパネルを着脱自在に設け、背面に扉又はパネルを設けて成るキャビネットラックにおいて、前記水平フレームを外側面が前記扉又は前記パネルの内側面より内側となるように設け、前記水平フレームと前記扉又は前記パネルとの間にケーブルが入出線するための入出線部を形成したことを特徴とするキャビネットラック。
【請求項２】
前記ケーブルが前記入出線部からはみ出ないように押さえる押さえ部材を設けたことを特徴とする請求項１に記載のキャビネットラック。
【請求項３】
前記水平フレームに結束部材により前記ケーブルを結束可能にしたことを特徴とする請求項１又は請求項２に記載のキャビネットラック。
【発明の詳細な説明】
【技術分野】
【０００１】
本発明は、電子機器、電気機器、通信機器などを収納するためのキャビネットラックの入出線構造に関する。
【背景技術】
【０００２】
従来、電子機器、電気機器、通信機器など各種機器を収納するためのキャビネットラックは垂直フレームと水平フレームとで箱状の骨組みのラック本体を構成し、ラック本体は、前面に扉が開閉自在に取り付けられ、左右側面にパネルが着脱自在に取り付けられ、背面に扉又はパネルが取り付けられている。機器はラック本体の上下方向に複数取り付けられ、機器へケーブルを配線する際は上面又は底面の中央に形成された開口を通して入出線されていた（例えば、特許文献１参照。）。
【先行技術文献】
【特許文献】
【０００３】
【特許文献１】特開２００２−９４２５９号公報（図１）
【発明の概要】
【発明が解決しようとする課題】
【０００４】
このように、従来のキャビネットラックは入出線する際には上面又は底面の中央に形成された開口を通さなければならず、また、配線の交換やキャビネットラックの移動時に開口に通されたケーブルを引き抜かなければならないため、非常に手間がかかっていた。また、開口よりも機器の接続位置や配線支持具の支持位置が平面視で外側となるため、開口から引き込まれた電線は入出線部分で曲げなければならず、ケーブルの整理が煩わしかった。また、機器をキャビネットラックの最下部までいっぱいに取り付けた場合、機器へ配線するケーブル数も多くなる上、最下部の機器とラック本体の内側面との間隔が狭くなってしまうので配線が非常にしづらいという問題があった。
【課題を解決するための手段】
【０００５】
請求項１に記載の発明によれば、垂直フレームと水平フレームとで箱状のラック本体を構成し、ラック本体の前面に扉を開閉自在に設け、左右側面にパネルを着脱自在に設け、背面に扉又はパネルを設けて成るキャビネットラックにおいて、水平フレームを外側面が扉又はパネルの内側面より内側となるように設け、水平フレームと扉又はパネルとの間にケーブルが入出線するための入出線部を形成したことを特徴とする。
【０００６】
請求項２に記載の発明によれば、請求項１に記載のキャビネットラックにおいて、ケーブルが入出線部からはみ出ないように押さえる押さえ部材を設けたことを特徴とする。
【０００７】
請求項３に記載の発明によれば、請求項１又は請求項２に記載のキャビネットラックにおいて、水平フレームに結束部材によりケーブルを結束可能にしたことを特徴とする。
【発明の効果】
【０００８】
請求項１に記載の発明によれば、キャビネットラックへ入出線する際に開口を通さなくて良いので手間がかからず、配線の交換やキャビネットラックの移動の作業性が向上する。また、キャビネットラックに外部から引き込まれたケーブルを入出線部分で曲げずに機器や配線支持具までまっすぐ配線できるのでケーブルの整理がしやすいという効果がある。また、キャビネットラックの最下部までいっぱいに機器を取り付けても配線作業性に影響がなく、容易に配線ができるという効果がある。
【０００９】
請求項２に記載の発明によれば、請求項１に記載の発明の効果に加えて、扉の開閉時又はパネルの着脱時に入出線部を通るケーブルが邪魔にならないという効果がある。
【００１０】
請求項３に記載の発明によれば、請求項１又は請求項２に記載の発明の効果に加えて、ケーブルを整理することができるという効果がある。
【図面の簡単な説明】
【００１１】
【図１】本発明に係るキャビネットラックのラック本体を示す斜視図である。
【図２】本発明に係るキャビネットラックを示す斜視図である。
【図３】キャビネットラックの横断面図である。
【図４】ケーブルを配線した状態のラック本体を示す斜視図である。
【図５】天板を取り外した状態のキャビネットラックの斜視図である。
【図６】入出線部に押え部材を取り付けた状態を示す斜視図である。
【図７】入出線部に結束部材を取り付けた状態を示す斜視図である。
【図８】ラック本体の変形実施例を示す横断面図である。
【図９】ラック本体の変形実施例を示す横断面図である。
【発明を実施するための形態】
【００１２】
キャビネットラックは、垂直フレームと水平フレームとで箱状のラック本体を構成し、ラック本体の前面に扉を開閉自在に設け、左右側面にパネルを着脱自在に設け、背面に扉又はパネルを設けて成り、水平フレームを外側面が扉又はパネルの内側面より内側となるように設け、水平フレームと扉又はパネルとの間にケーブルが入出線するための入出線部を形成する。
【実施例１】
【００１３】
本発明に係るキャビネットラックの実施例１を図１〜図９の添付図面に基づいて説明する。
【００１４】
電子機器、通信機器、電気機器など各種機器８を収納するためのキャビネットラック１は、垂直フレーム２と水平フレーム３とで箱状の骨組みのラック本体４を構成している。ラック本体４は、前面に扉５が開閉自在に取り付けられ、左右側面及び背面にパネル６が着脱自在に取り付けられている。背面には扉５が開閉自在に取り付けられることもある。また、上面には天板７が取り付けられている。
【００１５】
ラック本体４の水平フレーム３は長手方向の外側面が扉５又はパネル６の内側面より内側となるように設けられ、水平フレーム３と扉５又は水平フレーム３とパネル６との間に機器８に配線するケーブル９を入出線するための入出線部１０が形成されている。
【００１６】
ラック本体４の内部には４本のマウントアングル１１が立設され、マウントアングル１１は多数の取付孔１１ａが形成されている。機器８は前側の２本のマウントアングル１１だけを利用したり、前後４本のマウントアングル１１を利用し、マウントアングル１１の取付孔１１ａに螺着して上下方向に複数取り付けられる。
【００１７】
マウントアングル１１に取り付けられた機器８へ配線するには、まず、扉５又はパネル６を取り外して入出線部１０を開放する。そして、キャビネットラック１の上面又は底面側から水平フレーム３の外側にケーブル９が通るようにして入出線部１０にケーブル９を通し、それから、ケーブル９を機器８に接続する。このとき、機器８のケーブル接続面が前後面の場合でラック本体４の左右側面からケーブル９を引き込んだ場合は、前後のマウントアングル１１間に取り付けた配線支持具１２に入出線部１０からまっすぐ上に引き込んで支持させた後、ケーブル９を前後に向きを変えて機器８に接続する。そしてケーブル９の接続が終わったら、最後に扉５又はパネル６を閉塞することでケーブル９は入出線部１０に納まり、作業が完了する。
【００１８】
尚、上面からケーブル９を引き込む場合は図５に示すように天板７を取り外すか、図示しないが天板７にケーブル９を通すための切欠を加工形成する。切欠は予め形成しておいても良く、この場合、切欠や通線孔にはカバーを着脱自在に設けておくと良い。
【００１９】
また、図６に示すように入出線部１０にケーブル９を押さえるための押さえ部材１３を設けることで、ケーブル９が入出線部１０からはみ出ず、扉５の開閉時又はパネル６の着脱時にケーブル９を挟んだりせず、邪魔にならない。
【００２０】
押さえ部材１３は帯状板材の両端にＬ字形の脚部１３ａが形成され、入出線部１０の長手方向を構成する水平フレーム３に形成された固定孔１４に取付ネジ１５で固定され、ケーブル９の配線時は押さえ部材１３を取り外して作業を行う。
【００２１】
また、図７に示すように入出線部１０にはケーブル９を結束するための結束部材１６を設けても良い。結束部材１６は例えば、略Ｃ字状のクランプ部材が用いられたり、結束バンドが用いられる。結束部材１６は入出線部１０の長手方向を構成する水平フレーム３に形成された複数の孔１７に取付ネジ１８により取り付けられる。
【００２２】
このように水平フレーム３に固定された結束部材１６により入出線部１０を通るケーブル９を結束することで機器毎や機器のグループ毎にケーブル９をまとめて整理することができる。
【００２３】
このように、配線することでキャビネットラック１へケーブル９を入出線する際にラック本体４の上面または底面の開口を通さなくて良いので手間がかからず、配線の交換やキャビネットラック１の移動の作業性が向上する。また、キャビネットラック１に外部から引き込まれたケーブル９を入出線部分で曲げずに機器８或いは配線支持具１２までまっすぐ配線できるのでケーブル９の整理がしやすい。また、キャビネットラック１の最下部までいっぱいに機器８を取り付けても配線作業性に影響がなく、容易に配線ができる。更に水平フレーム３を加工しないので強度の低下がない。
【００２４】
尚、本実施例において入出線部１０をラック本体４の上下両側の前後左右の４辺全てに設けたが、例えば図８に示すように左右両辺だけに設けたり、図９に示すように１辺だけに設けるなど限定はない。
【符号の説明】
【００２５】
１    キャビネットラック
２    垂直フレーム
３    水平フレーム
４    ラック本体
５    扉
６    パネル
９    ケーブル
１０    入出線部
【図１】
2011249363.tif 000003
【図２】
2011249363.tif 000004
【図３】
2011249363.tif 000005
【図４】
2011249363.tif 000006
【図５】
2011249363.tif 000007
【図６】
2011249363.tif 000008
【図７】
2011249363.tif 000009
【図８】
2011249363.tif 000010
【図９】
2011249363.tif 000011